【手続補正書】
【提出日】平成15年9月1日(2003.9.1)
【手続補正１】
【補正対象書類名】明細書
【補正対象項目名】特許請求の範囲
【補正方法】変更
【補正の内容】
【特許請求の範囲】
【請求項１】
１個の操作部材を複数の操作領域に分割し、いずれかの操作領域を押圧操作することによって、撮影モードの変更を行うカメラにおいて、
前記操作領域の各々に発光素子を設け、撮影モードの変更入力が有効に受け付けられる操作領域の発光素子を点灯することを特徴とするカメラ。
【請求項２】
１個の操作部材を複数の領域に分割し、いずれかの領域を押圧操作することによって、撮影モードの変更を行うカメラにおいて、
前記操作部材の周囲を取り囲み、かつ各々の領域に近接するようにそれぞれ発光素子を配置し、選択可能な撮影モードに対応した発光素子を点灯することにより、撮影モードの変更入力が有効に受け付けられる操作部材の領域を指示することを特徴とするカメラ。
【請求項３】
１個の操作部材を複数の領域に分割し、いずれかの領域を押圧操作することによって、撮影モードの変更を行うカメラにおいて、
前記操作部材を光透過性樹脂で形成するとともに、前記操作部材の各々の領域の背後にそれぞれ発光素子を配置し、選択可能な撮影モードに対応した発光素子を点灯することにより、撮影モードの変更入力が有効に受け付けられる操作部材の領域を指示することを特徴とするカメラ。
【請求項４】
１個の操作部材を複数の領域に分割して各々の領域にそれぞれ異なった撮影モードを表すモードマークを付し、撮影モードの変更操作が許容されたときにいずれかの領域を押圧操作することによって、モードマークに対応した撮影モードへの変更が行われるカメラにおいて、
継続した押圧操作が行われる間に、前記操作部材の少なくともいずれかの領域に対する押圧操作が撮影モードの変更入力として有効に受け付けられる状態に保つモードシフト操作部と、前記操作部材の周囲を取り囲み、かつ各々のモードマークに近接するようにそれぞれ配置された発光素子とを備え、前記モードシフト操作部が押圧されたときには選択可能な撮影モードのモードマークに対応して設けられた発光素子を点灯させ、撮影モードの変更入力が有効に受け付けられる操作部材の領域を指示することを特徴とするカメラ。
【請求項５】
１個の操作部材を放射状に少なくとも３分割し、いずれかの領域を押圧操作することによって、撮影モードの変更を行うカメラにおいて、
前記操作部材の周囲を取り囲み、かつ各々の領域に近接するようにそれぞれ発光素子を配置し、選択可能な撮影モードに対応した発光素子を点灯することにより、撮影モードの変更入力が有効に受け付けられる操作部材の領域を指示することを特徴とするカメラ。
【請求項６】
１個の操作部材を放射状に少なくとも３分割し、いずれかの領域を押圧操作することによって撮影モードの変更を行うカメラにおいて、
前記操作部材を光透過性樹脂で形成するとともに、前記操作部材の各々の領域の背後にそれぞれ発光素子を配置し、選択可能な撮影モードに対応した発光素子を点灯することにより、撮影モードの変更入力が有効に受け付けられる操作部材の領域を指示することを特徴とするカメラ。
【請求項７】
１個の操作部材を放射状に少なくとも３分割して各々の領域にそれぞれ異なった撮影モードを表すモードマークを付し、撮影モードの変更操作が許容されたときにいずれかの領域を押圧操作することによって、モードマークに対応した撮影モードへの変更が行われるカメラにおいて、
継続した押圧操作が行われる間に、前記操作部材の少なくともいずれかの領域に対する押圧操作が撮影モードの変更入力として有効に受け付けられる状態に保つモードシフト操作部と、前記操作部材の周囲を取り囲み、かつ各々のモードマークに近接するようにそれぞれ配置された発光素子とを備え、前記モードシフト操作部が押圧されたときには選択可能な撮影モードのモードマークに対応して設けられた発光素子を点灯させ、撮影モードの変更入力が有効に受け付けられる操作部材の領域を指示することを特徴とするカメラ。
【請求項８】
前記モードシフト操作部の押圧操作期間中に前記領域のいずれかの押圧操作により撮影モードが有効に選択されたときには、選択された撮影モードを表すモードマークに近接した発光素子のみを連続点灯するとともに他の発光素子を消灯させ、かつ前記モードシフト操作部の押圧を解除しても前記発光素子の連続点灯を継続させて選択された撮影モードの表示を行うことを特徴とする請求項４または７記載のカメラ。
【請求項９】
１個の操作部材を放射状に少なくとも３分割して各々の領域にそれぞれ異なった撮影モードを表すモードマークを付し、撮影モードの変更操作が許容されたときにいずれかの領域を押圧操作することによって、モードマークに対応した撮影モードへの変更が行われるカメラにおいて、
一回目の押圧操作によって、前記操作部材の少なくともいずれかの領域に対する押圧操作が撮影モードの変更入力として有効に受け付けられる状態に切り換え、二回目の押圧操作によって、前記操作部材の押圧操作によって決定された撮影モードへの設定が行われるモードシフト操作部と、前記操作部材の周囲を取り囲み、かつ各々のモードマークに近接するようにそれぞれ配置された発光素子とを備え、前記モードシフト操作部の一回目の押圧により選択可能な撮影モードのモードマークに対応して設けられた発光素子を点灯させて撮影モードの変更入力が有効に受け付けられる操作部材の領域を指示し、モードシフト操作部の二回目の押圧により設定された撮影モードに対応する発光素子のみを点灯させ、かつ他の発光素子を消灯して設定された撮影モードの表示を行うことを特徴とするカメラ。
【請求項１０】
前記発光素子の２個に近接して加算マークと減算マークとを付し、有効に選択された撮影モード下において加減操作入力が要求されるときには、前記加算マーク及び減算マークを付した発光素子に対応する操作部材の各領域が加減入力部に切り換えられるとともに、前記発光素子の連続点灯により選択された撮影モードの表示を行い、かつ加算マーク及び減算マークを付した発光素子を点滅させることによって加減操作入力を促す表示を行うことを特徴とする請求項８または９記載のカメラ。
【請求項１１】
１個の操作部材を放射状に少なくとも３個の領域に分割し、撮影モードの変更操作が許容されたときにいずれかの領域を押圧操作することによって撮影モードの変更を行うカメラにおいて、
前記領域の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたことを特徴とするカメラ。
【請求項１２】
１個の操作部材を放射状に少なくとも３個の領域に分割し、撮影モードの変更操作が許容されたときにいずれかの領域を押圧操作することによって撮影モードの変更を行うカメラにおいて、
前記領域の各々に対する押圧操作を検出する複数個のスイッチと、各スイッチからの信号が撮影モードの変更信号として用いられるようにする状態と前記スイッチを２つのグループに分けて同一グループに含まれる複数個のスイッチからの信号が同じ信号として用いられるようにする状態とを切り換えるモードシフト操作部とを備えたことを特徴とするカメラ。
【請求項１３】
互いに近接して配置された少なくとも３個の操作部を備え、いずれかの操作部を押圧操作することによって、撮影モードの変更を行うカメラにおいて、
前記操作部の周囲でかつ各々の操作部に近接するようにそれぞれ発光素子を配置し、選択可能な撮影モードに対応した発光素子を点灯することにより、撮影モードの変更入力が有効に受け付けられる操作部を指示することを特徴とするカメラ。
【請求項１４】
互いに近接して配置された少なくとも３個の操作部を備え、いずれかの操作部を押圧操作することによって、撮影モードの変更を行うカメラにおいて、
前記操作部を光透過性樹脂で形成するとともに、前記操作部の各々の背後にそれぞれ発光素子を配置し、選択可能な撮影モードに対応した発光素子を点灯することにより、撮影モードの変更入力が有効に受け付けられる操作部を指示することを特徴とするカメラ。
【請求項１５】
互いに近接して配置された少なくとも３個の操作部を備え、各々の操作部にそれぞれ異なった撮影モードを表すモードマークを付し、撮影モードの変更操作が許容されたときにいずれかの操作部を押圧操作することによって、モードマークに対応した撮影モードへの変更が行われるカメラにおいて、
継続した押圧操作が行われる間に、少なくともいずれか１個の操作部に対する押圧操作が撮影モードの変更入力として有効に受け付けられる状態に保つモードシフト操作部と、前記操作部の周囲でかつ各々のモードマークに近接するようにそれぞれ配置された発光素子とを備え、前記モードシフト操作部が押圧されたときには選択可能な撮影モードのモードマークに対応して設けられた発光素子を点灯させ、撮影モードの変更入力が有効に受け付けられる操作部を指示することを特徴とするカメラ。
【請求項１６】
前記モードシフト操作部の押圧操作期間中に前記操作部のいずれかの押圧操作により撮影モードが有効に選択されたときには、選択された撮影モードを表すモードマークに近接した発光素子のみを連続点灯させるとともに他の発光素子を消灯させ、かつ前記モードシフト操作部の押圧を解除しても前記発光素子の連続点灯を継続させて選択された撮影モードの表示を行うことを特徴とする請求項１５記載のカメラ。
【請求項１７】
互いに近接して配置された少なくとも３個の操作部を備え、各々の操作部にそれぞれ異なった撮影モードを表すモードマークを付し、撮影モードの変更操作が許容されたときにいずれかの操作部を押圧操作することによって、モードマークに対応した撮影モードへの変更が行われるカメラにおいて、
一回目の押圧操作によって、少なくともいずれか１個の操作部に対する押圧操作が撮影モードの変更入力として有効に受け付けられる状態に切り換え、二回目の押圧操作によって、前記操作部の押圧操作によって決定された撮影モードへの設定が行われるモードシフト操作部と、前記操作部の周囲でかつ各々のモードマークに近接するようにそれぞれ配置された発光素子とを備え、前記モードシフト操作部の一回目の押圧により選択可能な撮影モードのモードマークに対応して設けられた発光素子を点灯させて撮影モードの変更入力が有効に受け付けられる操作部を指示し、モードシフト操作部の二回目の押圧により設定された撮影モードに対応する発光素子のみを点灯させ、かつ他の発光素子を消灯して設定された撮影モードの表示を行うことを特徴とするカメラ。
【請求項１８】
前記発光素子の２個に近接して加算マークと減算マークとを付し、有効に選択された撮影モード下において加減操作入力が要求されるときには、前記加算マーク及び減算マークを付した発光素子に対応する操作部が加減入力部に切り換えられるとともに、前記発光素子の連続点灯により選択された撮影モードの表示を行い、かつ加算マーク及び減算マークを付した発光素子を点滅させることによって加減操作入力を促す表示を行うことを特徴とする請求項１６または１７記載のカメラ。
【請求項１９】
互いに近接して配置された少なくとも３個の操作部を備え、撮影モードの変更操作が許容されたときにいずれかの操作部を押圧操作することによって撮影モードの変更を行うカメラにおいて、
前記操作部の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたことを特徴とするカメラ。
【請求項２０】
互いに近接して配置された少なくとも３個の操作部を備え、撮影モードの変更操作が許容されたときにいずれかの操作部を押圧操作することによって撮影モードの変更を行うカメラにおいて、
前記操作部の各々に対する押圧操作を検出する複数個のスイッチと、各スイッチからの信号が撮影モードの変更信号として用いられるようにする状態と前記スイッチを２つのグループに分けて同一グループに含まれる複数個のスイッチからの信号が同じ信号として用いられるようにする状態とを切り換えるモードシフト操作部とを備えたことを特徴とするカメラ。
【手続補正２】
【補正対象書類名】明細書
【補正対象項目名】０００５
【補正方法】変更
【補正の内容】
【０００５】
【課題を解決するための手段】
上記目的を達成するために、本発明のカメラは、１個の操作部材を複数の操作領域に分割し、いずれかの操作領域を押圧操作することによって、撮影モードの変更を行うカメラにおいて、前記操作領域の各々に発光素子を設け、撮影モードの変更入力が有効に受け付けられる操作領域の発光素子を点灯するものである。また、１個の操作部材を複数の領域に分割し、いずれかの領域を押圧操作することによって、撮影モードの変更を行うカメラにおいて、前記操作部材の周囲を取り囲み、かつ各々の領域に近接するようにそれぞれ発光素子を配置し、選択可能な撮影モードに対応した発光素子を点灯することにより、撮影モードの変更入力が有効に受け付けられる操作部材の領域を指示するものである。また、１個の操作部材を複数の領域に分割し、いずれかの領域を押圧操作することによって、撮影モードの変更を行うカメラにおいて、前記操作部材を光透過性樹脂で形成するとともに、前記操作部材の各々の領域の背後にそれぞれ発光素子を配置し、選択可能な撮影モードに対応した発光素子を点灯することにより、撮影モードの変更入力が有効に受け付けられる操作部材の領域を指示するものである。また、１個の操作部材を複数の領域に分割して各々の領域にそれぞれ異なった撮影モードを表すモードマークを付し、撮影モードの変更操作が許容されたときにいずれかの領域を押圧操作することによって、モードマークに対応した撮影モードへの変更が行われるカメラにおいて、継続した押圧操作が行われる間に、前記操作部材の少なくともいずれかの領域に対する押圧操作が撮影モードの変更入力として有効に受け付けられる状態に保つモードシフト操作部と、前記操作部材の周囲を取り囲み、かつ各々のモードマークに近接するようにそれぞれ配置された発光素子とを備え、前記モードシフト操作部が押圧されたときには選択可能な撮影モードのモードマークに対応して設けられた発光素子を点灯させ、撮影モードの変更入力が有効に受け付けられる操作部材の領域を指示するものである。


【手続補正３】
【補正対象書類名】明細書
【補正対象項目名】０００６
【補正方法】変更
【補正の内容】
【０００６】
また、１個の操作部材を放射状に少なくとも３分割し、いずれかの領域を押圧操作することによって、撮影モードの変更を行うカメラにおいて、前記操作部材の周囲を取り囲み、かつ各々の領域に近接するようにそれぞれ発光素子を配置し、選択可能な撮影モードに対応した発光素子を点灯することにより、撮影モードの変更入力が有効に受け付けられる操作部材の領域を指示するものである。また、１個の操作部材を放射状に少なくとも３分割し、いずれかの領域を押圧操作することによって撮影モードの変更を行うカメラにおいて、前記操作部材を光透過性樹脂で形成するとともに、前記操作部材の各々の領域の背後にそれぞれ発光素子を配置し、選択可能な撮影モードに対応した発光素子を点灯することにより、撮影モードの変更入力が有効に受け付けられる操作部材の領域を指示するものである。また、１個の操作部材を放射状に少なくとも３分割して各々の領域にそれぞれ異なった撮影モードを表すモードマークを付し、撮影モードの変更操作が許容されたときにいずれかの領域を押圧操作することによって、モードマークに対応した撮影モードへの変更が行われるカメラにおいて、継続した押圧操作が行われる間に、前記操作部材の少なくともいずれかの領域に対する押圧操作が撮影モードの変更入力として有効に受け付けられる状態に保つモードシフト操作部と、前記操作部材の周囲を取り囲み、かつ各々のモードマークに近接するようにそれぞれ配置された発光素子とを備え、前記モードシフト操作部が押圧されたときには選択可能な撮影モードのモードマークに対応して設けられた発光素子を点灯させ、撮影モードの変更入力が有効に受け付けられる操作部材の領域を指示するものである。


【手続補正４】
【補正対象書類名】明細書
【補正対象項目名】０００７
【補正方法】変更
【補正の内容】
【０００７】
また、前記モードシフト操作部の押圧操作期間中に前記領域のいずれかの押圧操作により撮影モードが有効に選択されたときには、選択された撮影モードを表すモードマークに近接した発光素子のみを連続点灯させるとともに他の発光素子を消灯させ、かつ前記モードシフト操作部の押圧を解除しても前記発光素子の連続点灯を継続させて選択された撮影モードの表示を行うものである。


【手続補正５】
【補正対象書類名】明細書
【補正対象項目名】０００８
【補正方法】変更
【補正の内容】
【０００８】
また、１個の操作部材を放射状に少なくとも３分割して各々の領域にそれぞれ異なった撮影モードを表すモードマークを付し、撮影モードの変更操作が許容されたときにいずれかの領域を押圧操作することによって、モードマークに対応した撮影モードへの変更が行われるカメラにおいて、一回目の押圧操作によって、前記操作部材の少なくともいずれかの領域に対する押圧操作が撮影モードの変更入力として有効に受け付けられる状態に切り換え、二回目の押圧操作によって、前記操作部材の押圧操作によって決定された撮影モードへの設定が行われるモードシフト操作部と、前記操作部材の周囲を取り囲み、かつ各々のモードマークに近接するようにそれぞれ配置された発光素子とを備え、前記モードシフト操作部の一回目の押圧により選択可能な撮影モードのモードマークに対応して設けられた発光素子を点灯させて撮影モードの変更入力が有効に受け付けられる操作部材の領域を指示し、モードシフト操作部の二回目の押圧により設定された撮影モードに対応する発光素子のみを点灯させ、かつ他の発光素子を消灯して設定された撮影モードの表示を行うものである。


【手続補正６】
【補正対象書類名】明細書
【補正対象項目名】０００９
【補正方法】変更
【補正の内容】
【０００９】
また、前記発光素子の２個に近接して加算マークと減算マークとを付し、有効に選択された撮影モード下において加減操作入力が要求されるときには、前記加算マーク及び減算マークを付した発光素子に対応する操作部材の各領域が加減入力部に切り換えられるとともに、前記発光素子の連続点灯により選択された撮影モードの表示を行い、かつ加算マーク及び減算マークを付した発光素子を点滅させることによって加減操作入力を促す表示を行うものである。


【手続補正７】
【補正対象書類名】明細書
【補正対象項目名】００１０
【補正方法】変更
【補正の内容】
【００１０】
また、１個の操作部材を放射状に少なくとも３個の領域に分割し、撮影モードの変更操作が許容されたときにいずれかの領域を押圧操作することによって撮影モードの変更を行うカメラにおいて、前記領域の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたものである。


【手続補正８】
【補正対象書類名】明細書
【補正対象項目名】００１１
【補正方法】変更
【補正の内容】
【００１１】
また、１個の操作部材を放射状に少なくとも３個の領域に分割し、撮影モードの変更操作が許容されたときにいずれかの領域を押圧操作することによって撮影モードの変更を行うカメラにおいて、前記領域の各々に対する押圧操作を検出する複数個のスイッチと、各スイッチからの信号が撮影モードの変更信号として用いられるようにする状態と前記スイッチを２つのグループに分けて同一グループに含まれる複数個のスイッチからの信号が同じ信号として用いられるようにする状態とを切り換えるモードシフト操作部とを備えたものである。


【手続補正９】
【補正対象書類名】明細書
【補正対象項目名】００１２
【補正方法】変更
【補正の内容】
【００１２】
また、互いに近接して配置された少なくとも３個の操作部を備え、いずれかの操作部を押圧操作することによって、撮影モードの変更を行うカメラにおいて、前記操作部の周囲でかつ各々の操作部に近接するようにそれぞれ発光素子を配置し、選択可能な撮影モードに対応した発光素子を点灯することにより、撮影モードの変更入力が有効に受け付けられる操作部を指示するものである。また、互いに近接して配置された少なくとも３個の操作部を備え、いずれかの操作部を押圧操作することによって、撮影モードの変更を行うカメラにおいて、前記操作部を光透過性樹脂で形成するとともに、前記操作部の各々の背後にそれぞれ発光素子を配置し、選択可能な撮影モードに対応した発光素子を点灯することにより、撮影モードの変更入力が有効に受け付けられる操作部を指示するものである。また、互いに近接して配置された少なくとも３個の操作部を備え、各々の操作部にそれぞれ異なった撮影モードを表すモードマークを付し、撮影モードの変更操作が許容されたときにいずれかの操作部を押圧操作することによって、モードマークに対応した撮影モードへの変更が行われるカメラにおいて、継続した押圧操作が行われる間に、少なくともいずれか１個の操作部に対する押圧操作が撮影モードの変更入力として有効に受け付けられる状態に保つモードシフト操作部と、前記操作部の周囲でかつ各々のモードマークに近接するようにそれぞれ配置された発光素子とを備え、前記モードシフト操作部が押圧されたときには選択可能な撮影モードのモードマークに対応して設けられた発光素子を点灯させ、撮影モードの変更入力が有効に受け付けられる操作部を指示するものである。


【手続補正１０】
【補正対象書類名】明細書
【補正対象項目名】００１３
【補正方法】変更
【補正の内容】
【００１３】
また、前記モードシフト操作部の押圧操作期間中に前記操作部のいずれかの押圧操作により撮影モードが有効に選択されたときには、選択された撮影モードを表すモードマークに近接した発光素子のみを連続点灯させるとともに他の発光素子を消灯させ、かつ前記モードシフト操作部の押圧を解除しても前記発光素子の連続点灯を継続させて選択された撮影モードの表示を行うものである。


【手続補正１１】
【補正対象書類名】明細書
【補正対象項目名】００１４
【補正方法】変更
【補正の内容】
【００１４】
また、互いに近接して配置された少なくとも３個の操作部を備え、各々の操作部にそれぞれ異なった撮影モードを表すモードマークを付し、撮影モードの変更操作が許容されたときにいずれかの操作部を押圧操作することによって、モードマークに対応した撮影モードへの変更が行われるカメラにおいて、一回目の押圧操作によって、少なくともいずれか１個の操作部に対する押圧操作が撮影モードの変更入力として有効に受け付けられる状態に切り換え、二回目の押圧操作によって、前記操作部の押圧操作によって決定された撮影モードへの設定が行われるモードシフト操作部と、前記操作部の周囲でかつ各々のモードマークに近接するようにそれぞれ配置された発光素子とを備え、前記モードシフト操作部の一回目の押圧により選択可能な撮影モードのモードマークに対応して設けられた発光素子を点灯させて撮影モードの変更入力が有効に受け付けられる操作部を指示し、モードシフト操作部の二回目の押圧により設定された撮影モードに対応する発光素子のみを点灯させ、かつ他の発光素子を消灯して設定された撮影モードの表示を行うものである。


【手続補正１２】
【補正対象書類名】明細書
【補正対象項目名】００１５
【補正方法】変更
【補正の内容】
【００１５】
また、前記発光素子の２個に近接して加算マークと減算マークとを付し、有効に選択された撮影モード下において加減操作入力が要求されるときには、前記加算マーク及び減算マークを付した発光素子に対応する操作部が加減入力部に切り換えられるとともに、前記発光素子の連続点灯により選択された撮影モードの表示を行い、かつ加算マーク及び減算マークを付した発光素子を点滅させることによって加減操作入力を促す表示を行うものである。


【手続補正１３】
【補正対象書類名】明細書
【補正対象項目名】００１６
【補正方法】変更
【補正の内容】
【００１６】
また、互いに近接して配置された少なくとも３個の操作部を備え、撮影モードの変更操作が許容されたときにいずれかの操作部を押圧操作することによって撮影モードの変更を行うカメラにおいて、前記操作部の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたものである。


【手続補正１４】
【補正対象書類名】明細書
【補正対象項目名】００１７
【補正方法】変更
【補正の内容】
【００１７】
また、互いに近接して配置された少なくとも３個の操作部を備え、撮影モードの変更操作が許容されたときにいずれかの操作部を押圧操作することによって撮影モードの変更を行うカメラにおいて、前記操作部の各々に対する押圧操作を検出する複数個のスイッチと、各スイッチからの信号が撮影モードの変更信号として用いられるようにする状態と前記スイッチを２つのグループに分けて同一グループに含まれる複数個のスイッチからの信号が同じ信号として用いられるようにする状態とを切り換えるモードシフト操作部とを備えたものである。


【手続補正１５】
【補正対象書類名】明細書
【補正対象項目名】００７９
【補正方法】変更
【補正の内容】
【００７９】
【発明の効果】
以上のように、本発明のカメラによれば、１個の操作部材を分割した複数の操作領域の各々に発光素子を設け、撮影モードの変更入力が有効に受け付けられる操作領域の発光素子を点灯するので、狭いスペースでも良好な操作性を維持したまま多種類のモード設定を行うことができる。また、操作部材の周囲を取り囲み、かつ各々の領域に近接するようにそれぞれ発光素子を配置し、選択可能な撮影モードに対応した発光素子を点灯することにより、撮影モードの変更入力が有効に受け付けられる操作部材の領域を指示するから、狭いスペースでも良好な操作性を維持したまま多種類のモード設定を行うことができる。また、操作部材を光透過性樹脂で形成するとともに、操作部材の各々の領域の背後にそれぞれ発光素子を配置し、選択可能な撮影モードに対応した発光素子を点灯することにより、撮影モードの変更入力が有効に受け付けられる操作部材の領域を指示するから、狭いスペースでも良好な操作性を維持したまま多種類のモード設定を行うことができる。また、前記操作部材を互いに近接して配置した少なくとも３個の操作部から構成してもよい。また、継続した押圧操作が行われる間に、１個の操作部材の少なくともいずれかの領域に対する押圧操作が撮影モードの変更入力として有効に受け付けられる状態に保つモードシフト操作部と、操作部材の周囲を取り囲み、かつ各々のモードマークに近接するようにそれぞれ配置された発光素子とを備え、モードシフト操作部が押圧されたときには選択可能な撮影モードのモードマークに対応して設けられた発光素子を点灯させ、撮影モードの変更入力が有効に受け付けられる操作部材の領域を指示するようにしたので、操作したあるいはこれから操作すべき領域を間違いなく知ることができ、１個の操作部材で多種類のモード設定を迷うことなく確実に行うことができる。また、モードシフト操作部の押圧操作を解除することによって撮影モードの変更入力が自動的に終了するから、迅速な撮影モードの変更入力を行うことができる。